(57)【要約】      （修正有）【課題】脊椎の固定および脊椎弯曲補正の為の脊椎ロッドとともに使用される新規な外科器具の提供。【解決手段】横断接続器１０は、ロッド係合座１６を、ロッド座１２に受けられたロッド１４と係合および脱係合するように移動させるための、作動機構４８を備える。作動機構４８は、ロッド係合座１６をロッド１４と係合および脱係合するように強制的に移動させ、同時にロッド係合座１６を適切な位置に維持する、任意の機構を備える。この作動機構４８は、例えば、ロッド係合座１６を特定の位置に維持するための、複数のロッキング位置を備え得る。あるいは、係合機構４８は、ねじ１８を備え得、このねじ１８は、内部に含まれたロッド１４および患者に対して必要とされる特定の張力に基づいて、特定の張力で締められ得る。止めねじ１８´は、両方の肩部に同時に負荷を等しく付与するための浮き先端を備える。【選択図】図１Ｃ
2006198417.tif 000002
【特許請求の範囲】
【請求項１】
移植物に対して負荷を付与するための浮き先端手段を有する、止めねじ。
【請求項２】
浮き先端手段が、少なくとも１つの剛性移植物部分および該移植物の１つの可動移植物部分と接触する、請求項１に記載の止めねじ。
【請求項３】
浮き先端部が、前記移植物の少なくとも２つの可動移植物部分と接触する、請求項１に記載の止めねじ。
【請求項４】
前記先端手段が浮き先端部を備える、請求項１に記載の止めねじ。
【請求項５】
浮き先端手段が、実質的に円錐形の外側表面を備える、請求項１に記載の止めねじ。
【発明の詳細な説明】
【技術分野】
【０００１】
（発明の背景）
（１．技術分野）
本発明は、一般に、整形外科デバイスに関する。より具体的には、本発明は、脊椎の固定および脊椎弯曲の補正の目的で、脊椎ロッドとともに使用される、外科器具または医療構築物である。
【背景技術】
【０００２】
（２．関連技術の説明）
脊椎ロッドは、しばしば脊椎の固定のために使用され、しばしば側弯の弯曲を補正するために使用される。このようなロッドを使用する固定は、しばしば、ロッドの移植、ならびにフックおよび／またはねじによる脊椎へのこれらのロッドの取り付けを包含する。通常、１対のロッドが、固定されるべき脊椎の部分の対向する側に配置される。
【０００３】
脊椎ロッドを架橋して、ロッドの移動を防止するため、および対のロッドアセンブリの剛性を増加させるための、種々のシステムが開発された。
【０００４】
脊椎ロッドを相互接続するために使用される多くのアセンブリは、通常、横断接続器アセンブリまたはロッド間連結器と称され、プレートにおいて適所にボルトで留められたフックシステムを調節可能に保持するための開口部を有する、プレート機構を利用する。このようなシステムの例は、１９９４年８月２日に発行された、Ｗａｇｎｅｒに対する米国特許第５，３３４，２０３号（特許文献１）、および１９９６年６月４日に発行された、Ｄｉｎｅｌｌｏらに対する米国特許第５，５２２，８１６号（特許文献２）に見られる。１９９６年３月１２日に発行された、Ｄｉｎｅｌｌｏらに対する米国特許第５，４９８，２６３号（特許文献３）は、椎骨結合部材を相互接続するための止めねじを利用しながら、同時にまた、これらの結合部材を相互接続するために、上記のようなプレート部材を使用する、横断接続器システムを開示する。２辺がプレート部材により規定され、そして２辺が間隔を空けたロッド部材によって規定された、矩形のユニットが形成される。
【０００５】
１９９５年５月１７日に発行された、Ｋｏｒｏｔｋｏらに対する米国特許第５，３１２，４０５号（特許文献４）は、脊椎ロッドを相互接続するために使用される連結器を開示し、ここで、この連結器自体が、２片のユニットである。各ユニットのネック部は、ねじ機構によって相互接続され、このねじ機構は、このシステムの雄型部を、雌型部の内部にクランプする。このシステムはまた、ロッドに係合する連結器挿入物またはヨークを利用し、これは、各連結器の座部内に配置され、そしてロッドの底部と係合する器具によってロッドと脊椎と連結器頂部との間で圧縮される場合に、ロッドの周囲で圧縮される。
【０００６】
これらの問題を克服するためのさらなる試みにおいて、種々の特許が、止めねじがロッドと直接接触するデバイスを開示している。このような特許の例としては、Ｄｒｕｍｍｏｎｄらに対する米国特許第６，１１３，６００号（特許文献５）、Ｍｅｌｌｉｎｇｅｒらに対する米国特許第５，６２４，４４２号（特許文献６）、およびＣｏｔｒｅｌに対する米国特許第５，６０１，５５２号が挙げられる（特許文献７）。これらの特許において、止めねじを固定するために必要とされる力は、この止めねじの接触点においてこのロッドの変形を引き起こす。このことは、止めねじの先端が、Ｄｒｕｍｍｏｎｄらの特許の図６に見られるもののように円錐形状である場合に、より重大である。このことは、より深い、より局在した変形を引き起こし、従って、へこみを誘導する応力を引き起こし、これは、より低いロッドの疲労寿命を生じ得る。さらに、切欠きの深さ、および誘導される局在化応力は、外科医が手術の際に止めねじをいかにきつく締めるかに基づいて、ランダムな値に供される。
【０００７】
隣接する脊椎ロッドを脊椎の正中を横切って連結するための横断連結器を提供し、剛性かつ安定な構築物を提供するための、多数の脊椎ロッドシステムもまた、開発された。これらのシステムの大部分は、脊椎手術に対して１つ以上の困難性を提示する。これらのデバイスの多くは、輪郭が高く、このことは、軟部組織の外傷および外科的複雑さを増加させる。さらに、これらの先行技術のシステムの多くにおいて、取り付けデバイスが、脊椎ロッドに予め装着されなければならず、このことは、かなりの手術前計画を必要とし得、そして実際に、接続器をインサイチュで追加する機会を排除する。
【０００８】
１つの横断接続器システムは、Ｄａｎｅｋ  Ｍｅｄｉｃａｌ，Ｉｎｃ．のＴＳＲＨ（登録商標）  ＣＲＯＳＳＬＩＮＫ（登録商標）である。ＴＳＲＨ（登録商標）  ＣＲＯＳＳＬＩＮＫ（登録商標）は、三点せん断クランプ機構を利用し、これは、全ての方向でロッド間の移動を制限し、そして特に、ロッド間の軸方向の力およびロッドの軸の周囲でのねじれモーメントに抵抗する。四辺形の構築物が、剛性プレートを用いて矢状面を横切ってロッドを横方向に接続することによって、形成される。この横方向接続は、経時的に生じ得る補正の損失を低下させる。
【特許文献１】米国特許第５，３３４，２０３号明細書
【特許文献２】米国特許第５，５２２，８１６号明細書
【特許文献３】米国特許第５，４９８，２６３号明細書
【特許文献４】米国特許第５，３１２，４０５号明細書
【特許文献５】米国特許第６，１１３，６００号明細書
【特許文献６】米国特許第５，６２４，４４２号明細書
【特許文献７】米国特許第５，６０１，５５２号明細書
【発明の開示】
【発明が解決しようとする課題】
【０００９】
脊椎ロッド間の剛性の横断接続は、有利である。なぜなら、これらはロッドの移動を制限し、そして構成物の剛性を増加させるからである。脊椎の多レベル融合（ｍｕｌｔｉ−ｌｅｖｅｌ  ｆｕｓｉｏｎ）を包含する多くの場合において、これらの特徴は、堅固な骨融合が達成される間に必須である。融合が起こる前の手術後期間において、有意な量の移動が、ロッド、ワイヤおよびフックの間に起こり得、これは例えば、側弯の補正を低下させ得るか、または骨盤をその以前の変形位置に再回転させ得る。剛性の横断接続を２つの脊椎ロッド間に提供することによって、連結の損失が低下され得、そしてより剛性の構築物が作製され得、これは、堅固な融合の促進を増強し得る。ＴＳＲＨ（登録商標）ＣＲＯＳＳＬＩＮＫ（登録商標）は、優れた構築物を提供するが、ロッドとの接触表面積が大いに増加し、従って止めねじがいかにきつく締められるかにかかわらず、局在した応力を最小にする、低い輪郭のデバイスに対する必要性が残っている。
【００１０】
単純なロッキング機構によってロッドと係合する結合器を提供することが望ましい。相互接続を提供するために少ない部品および少ない操作を必要とする、結合器間の単純な相互接続機構を提供することもまた、望ましい。さらに、一対の脊椎ロッド間でのアセンブリの相互接続のために、アセンブリの外側の単純なねじ回しまたはナットドライバーのみを必要とする、横断結合器アセンブリを提供することが、望ましい。ロッドとの接触面積が非常に増加しており、従って止めねじがいかにきつく締められるかにかかわらず、局在した応力を最小にする、機構を開発することもまた、有用である。
【課題を解決するための手段】
【００１１】
（発明の要旨）
本発明によれば、内部にロッドを受けるためのロッド座、およびこのロッド座の一部を形成するロッド係合座を含む係合機構を有する、横断接続器が提供され、この係合機構は、ロッド座内に受けられたロッドと係合および脱係合するように、可動である。
【００１２】
本発明の他の利点は、添付の図面と組み合わせて考慮される場合に、以下の詳細な説明を参照することによって、より良好に理解されることが、容易に認識される。
【００１３】
より特定すれば、本願発明は、以下の項目に関し得る。
【００１４】
（１）横断接続器であって、以下：内部にロッドを受けるための、ロッド座；ロッキングタブであって、該ロッド座の一部を形成する、ロッド係合座を備え、該ロッキングタブは、該接続器の本体に旋回可能に接続され、該ロッド座内に受けられたロッドと、該接続器の本体がロッド上に押されるように係合および脱係合するように可動である、ロッキングタブ、を備える、横断接続器。
【００１５】
（２）前記ロッド係合座を、前記ロッド座内に受けられたロッドと係合および脱係合させるよう移動させるための、ねじをさらに備える、項目（１）に記載の横断接続器。
【００１６】
（３）前記ロッド座の少なくとも１つを有する本体部を備え、該本体部に可動に接続されたロッキングタブを備え、該ロッキングタブが、該ロッキングタブの１つの角部において実質的に湾曲した凹部および該ロッキングタブの該凹部とは反対の表面の当接部を備え、該凹部は、該本体部の該ロッド座に隣接する前記ロッド係合座を規定し、前記ねじは、該当接表面を選択的に係合して、湾曲表面と該ロッド座との間に受けられたロッドを挟むために、該湾曲表面を該ロッド座の方へ選択的に押し付ける、項目（２）による横断接続器。
【００１７】
（４）前記ねじが、前記本体部に螺合により係合する止めねじを備え、該止めねじが、前記当接表面との係合および脱係合の方へと選択的に可動である、項目(３）に記載の横断接続器。
【００１８】
(５）前記ロッキングタブが前記本体部に旋回可能に接続されている、項目（３）に記載の横断接続器。
【００１９】
(６)前記ロッキングタブが、前記本体部の凹部に配置され、そして該凹部に対してスライド可能である、項目（３）に記載の横断接続器。
【００２０】
(７）間隔を空けて並べられた対向して位置する一対のロッキングタブを備え、該ロッキングタブの前記当接部の各々が、互いに向かって延びる肩部を備え、前記ねじが、該肩部を同時に係合して、該ロッキングタブの各々を同時に、前記ロッド座の各々に受けられたロッドと係合させるよう移動させる、項目（３）に記載の横断接続器。
【００２１】
（８）前記本体部が、ねじ山付き開口部を備え、前記肩部が、該開口部内に延び、前記ねじが、該開口部に螺合により係合する止めねじを備え、そして該肩部に同時に係合するよう可動であり、該ロッキングタブを、前記ロッド座内に受けられたロッドと係合するよう弓型に移動させる、項目（７）に記載の横断接続器。
【００２２】
（９）前記止めねじが、前記肩部の両方に同時に等しく負荷を付与するための、浮き先端手段を備える、項目（７）に記載の横断接続器。
【００２３】
（１０）前記浮き先端手段が、実質的に円錐形の外側表面を備える、項目(９）に記載の横断接続器。
【００２４】
（１１）少なくとも１対の前記ロッド座を有する本体部を備え、該本体部が、該１対のロッド座間の距離を調節するための、長さ調節手段を備える、項目（１）に記載の横断接続器。
【００２５】
（１２）前記本体部が、第一の部分、第二の部分、および長い本体手段を備え、該第一の部分が、前記ロッド座の第一のものおよび雌型開口部を備え、そして該第二の部分が、該ロッド座の第二のものおよび該雌型部にスライド可能に受けられる雄型部を備え、そして該長い本体手段は、該雄型部を該雌型開口部に対して固定された位置にロックするためのものであり、これによって、該ロッド座間の距離を固定する、項目（１１）に記載の横断接続器。
【００２６】
（１３）前記雄型部が、該雄型部の長さに沿った溝を備え、前記ロッキング手段が、該溝と選択的に係合するための止めねじを備える、項目（１２）に記載の横断接続器。
【００２７】
項目（１４）前記止めねじが、前記溝の一部に接触し、そして変形させる、項目（１３）に記載の横断接続器。
【００２８】
（１５）移植物に対して負荷を付与するための浮き先端手段を有する、止めねじ。
【００２９】
（１６）浮き先端手段が、少なくとも１つの剛性移植物部分および該移植物の１つの可動移植物部分と接触する、項目（１５）に記載の止めねじ。
【００３０】
（１７）浮き先端部が、前記移植物の少なくとも２つの可動移植物部分と接触する、項目（１５）に記載の止めねじ。
【００３１】
（１８）前記先端手段が浮き先端部を備える、項目（１５）に記載の止めねじ。
【００３２】
項目（１９）浮き先端手段が、実質的に円錐形の外側表面を備える、項目（１５）に記載の止めねじ。
【発明の効果】
【００３３】
ロッド係合座を備えるロッキングタブは、横断接続器の本体に旋回可能に接続され、ロッド座内に受けられたロッドと、該接続器の本体がロッド上に押されるように係合および脱係合するように可動であるので、ロッキングタブとロッドが、点接触ではなく、表面間接触し、ロッドの変形が最小化または排除され、ロッドへの配置を妨害せず、接続器本体の内部で自由に移動してロッドを外向きに押し付けて固定するので接続器の配置を妨害することはない。そしてさらに、止めねじの浮き先端が、製造許容差を補償し、止めねじが締められる場合に、両側のロッキングタブに等しい力を提供して局在化応力を防止し、これによってロッドの変形をさらに防止する。
【発明を実施するための最良の形態】
【００３４】
（発明の詳細な説明）
本発明は、一般に１０で示される横断連結器を提供し、この連結器は、内部にロッド１４を受けるためのロッド座１２、ロッド座１２の一部を形成するロッド係合座を含む係合機構１６を備え、ここで、この係合機構１６は、ロッド座１２内に受けられたロッド１４と係合および脱係合するように、可動である。
【００３５】
「係合機構４４」とは、本明細書中において使用される場合に、ロッド１４をロッド座１２内の適切な位置に保持するために使用され得る、任意の物品を意味する。この係合機構４４としては、ロッキングタブ１６、およびロッド１４との十分な接触表面積を提供し得る他の類似の形状のデバイスが挙げられ得るが、これらに限定されない。重要なことには、他の点接触デバイスとは異なり、本発明は、表面間接触を提供する。従って、ロッドの変形が最小化または排除される。
【００３６】
本発明に従って、連結器１０が提供され、これは、脊椎の構成要素（例えば、２つの長手方向ロッド１４）を種々の距離だけ離して強固に保持するための、係合機構４４を備える。接続器本体１１（これは、固定された構成と調節可能な構成との両方で、複数の長さで提供される）は、各ロッド１４のセクションに対する座部１２を備える。係合機構４４は、各ロッド１４に対して、接続器本体１０の内部に提供される。係合機構４４は、部分的ロッド座１２を備える。係合機構４４の、接続器本体１１がロッド１４に押されることを可能にするために十分な部分は、接続器本体１１の内部で自由に移動する。従って、係合機構４４は、ロッド１４にわたる接続器本体１１の配置を妨害しない。適切な配置および大きさにされる場合に、少なくとも１つの作動機構４４が締められて、アセンブリ１０を固定する。これは、係合機構４４を、作動機構に対して外向きに、ロッド１４に押し付け、一方でロッド１４の各々は、接続器本体１１の座部１２に押し付けられる。
【００３７】
係合機構４４は、固定機構２０を使用して適所に保持される。この固定機構２０は、係合機構４４の所望でない移動を防止する。固定機構２０は、旋回デバイス、ねじまたは当業者に公知の他の類似の固定デバイスであり得る。
【００３８】
単一の作動機構４８’の実施形態が、閉じたロッド構築物の単純なロッキングのために提供される。この実施形態のための作動機構４８’は、止めねじ１８’からなるが、これに限定されず、この止めねじは、円錐形の浮き先端３２または当業者に公知の他の先端を有する。この浮き先端３２は、製造許容差を補償し、そして止めねじ１８’が進められる場合に、各係合機構４４’に対して等しい力を提供する。このことは、局在化した応力を防止し、これによってロッド１４’の変形を防止する。
【００３９】
本発明の１つの実施形態において、雄型部３８および雌型部３６からなり得る、調節可能部分３４が提供される。雄型部３８は、溝４２を備え、そして雌型部３６は、角度が付いているかまたは丸められた先端を有する、止めねじ１８を備える。止めねじ１８は、締められる場合に、溝４２に入り、そしてアセンブリ１０を所望の長さに固定して堅固に保持する。溝４２は、止めねじ１８が保持されるための増加した表面積を提供する。
【００４０】
より具体的には、本発明の横断接続器１０は、ロッド係合座１６を、ロッド座１２に受けられたロッド１４と係合および脱係合するように移動させるための、作動機構４８を備える。作動機構４８は、ロッド係合座１６をロッド１４と係合および脱係合するように強制的に移動させ、同時にロッド係合座１６を適切な位置に維持する、任意の機構を備える。この作動機構４８は、例えば、ロッド係合座１６を特定の位置に維持するための、複数のロッキング位置を備え得る。あるいは、係合機構４８は、ねじ１８を備え得、このねじ１８は、内部に含まれたロッド１４および患者に対して必要とされる特定の張力に基づいて、特定の張力で締められ得る。
【００４１】
さらに、本発明の横断接続器１０は、少なくとも１つのロッド座１２を備える本体部１１を備え得る。係合機構４４は、挿入物１６を備え、これは、本体部１１に可動に接続される。好ましい実施形態において、挿入物１６は、固定機構２０を使用して、本体部１１に旋回可能に接続される。例えば、挿入物１６は、当業者に公知の任意の可動な様式で、接続され得る。例えば、ねじ、旋回ピン、または他の旋回可能な機構が利用され得る。
【００４２】
挿入物１６はまた、挿入物１６の角部に位置する、実質的に湾曲した凹部２２を備える。凹部２２は、ロッド係合座４６を規定し、これは、本体部１１のロッド座１２に隣接する。
【００４３】
当接部２４もまた、挿入物１６に備えられる。当接部２４は、挿入物１６の表面に位置し、そして湾曲凹部２２の反対側に位置する。駆動機構４８が、選択的に、当接部２４と係合して、湾曲凹部２２をロッド座１２の方へと選択的に押し付け、これによって、ロッド１４を凹部２２とロッド座１２との間に挟む。
【００４４】
好ましい実施形態において、作動機構４８は、本体部１１に螺合により係合した、止めねじ１８を備える。止めねじ１８は、当接部２４との係合に向けておよび係合から離れて、選択的に可動である。
【００４５】
本発明の代替の実施形態を、図１Ｂに示す。挿入物１６は、本体部１１の凹部２６に位置する。挿入物１６は、凹部２６内でスライド可能である。
【００４６】
本発明によって、図５および６に示すような横断接続器１０もまた提供され、この接続器は、対向して位置する一対の挿入物１６’を備える。この挿入物１６’は、本体部１１’の間隔を空けたロッド座１２’に隣接する。挿入物１６’の当接部２４’の各々が、図５および６に示すように、互いに向いて延びる肩部２８を備える。
【００４７】
作動機構１８’は、各肩部２８を同時に係合する。単一の作動機構４８’が、挿入物１６’の各々を移動させて、ロッド１４’およびロッド座１２’の各々と係合させる。
【００４８】
さらに、横断接続器１０’の本体部１１’は、ねじ山付き開口部３０を備え得、これによって、肩部２８が、開口部３０内に延び、その結果、作動機構４８’（止めねじ１８’を備える）が開口部３０に螺合して係合する場合、作動機構４４が、両方の肩部２８を同時に係合し得る。この移動は、挿入物１６’の移動を、ロッド座１２’に受けられたロッド１４’に係合させるよう作動させる。あるいは、止めねじ１８’は、任意のロッキング機構を使用して係合されて配置され得るか、または開口部３０に手動で押し込まれ得る。
【００４９】
図１Ａ、図１Ｂおよび図１Ｃにおいて、本発明の横断接続器１０はまた、止めねじ１８’を提供し、この止めねじ１８’は、両方の肩部２８に同時に負荷を等しく付与するための、浮き先端３２を備え得る。浮き先端３２は、両方の挿入物１６’に同時に等しく負荷を付与するように、自己調節する。この先端３２は、止めねじ１８’が１つの挿入物１６’に、他の挿入物１６’に対してより大きな圧力を付与することを防止する。
【００５０】
さらなる実施形態において、図１Ａ、図１Ｂ、図１Ｃ、および２に示すように、本発明の横断接続器１０は、少なくとも１対のロッド座１２を有する本体部１１を提供する。この実施形態において、本体部１１は、対のロッド座１２間の距離を調節するための、長さ調節機構３４を備え得る。好ましい実施形態において、本体部１１は、第一の部分および第二の部分を備え、この第一の部分は、雌型開口部３６を有するロッド座１２の１つを備え、そしてこの第二の部分は、雌型開口部３６にスライド可能に受けられる雄型部３８および第二のロッド座１２を備える。雄型部３８を雌型部３６に対して固定された位置にロックするための、長さロッキング機構４０もまた提供され、これによって、ロッド座１２と１２’との間の距離を確立する。開業医は、この機構を挿入する場合に、ロッド座１２間の正確な距離調節を得る。
【００５１】
雄型部３８はまた、雄型部３８の長さに沿って溝４２を備え得る。この実施形態において、ロッキング機構４０は、溝４２との選択的な係合のための、止めねじ１８’を備える。
【００５２】
本発明によってまた、移植物５１に対して負荷を付与する止めねじが提供される。止めねじ１８’は、円錐形の浮き先端３２または当業者に公知の他の先端を有し得る。
【００５３】
止めねじ１８’は、止めねじ１８’が配置される２つの移植物係合機構５０、５２の間で負荷を分配させる。従って、止めねじ１８’は、２つの機構５０、５２間で負荷を移動および分配させ得、同時にさらなる移植物成分を適所に堅固にロックし得る。
【００５４】
本発明の１つの実施形態において、移植物係合機構５０、５２の両方が、可動である。あるいは、一方の機構５０が可動であり得、一方で他方の機構５２は固定され、従っていかなる運動をも可能にしない。
【００５５】
本願を通じて、種々の刊行物（米国特許を含む）が、著者および年によって、そして特許は番号によって、参照される。刊行物の完全な引用を、以下に列挙する。これらの刊行物および特許の開示は、その全体が、本願において、本発明が関する技術水準をより十分に記載するために、本明細書中に参考として援用される。
【００５６】
本発明が、例示的な様式で記載され、そして使用された専門用語は、限定よりむしろ説明の単語の性質で意図されることが、理解されるべきである。
【００５７】
明らかに、本発明の多くの改変および変更が、上記教示を考慮して可能である。従って、添付の特許請求の範囲の範囲内で、本発明は、具体的に記載されたものとは異なって実施され得ることが、理解されるべきである。
【００５８】
（参考文献）
米国特許第２，６３８，３０１号、Ｓｍｉｔｈら
米国特許第３，４９９，２２２号、Ｌｉｎｋｏｗら
米国特許第４，６４１，６３６号、Ｃｏｔｒｅｌら
米国特許第４，７７３，４０２号、Ａｓｈｅｒら
米国特許第４，９５７，４９５号、Ｋｌｕｇｅｒら
米国特許第５，００２，５４２号、Ｆｒｉｇｇら
米国特許第５，００５，５６２号、Ｃｏｔｒｅｌら
米国特許第５，０２４，２１３号、Ａｓｈｅｒら
米国特許第５，０３０，２２０号、Ｈｏｗｌａｎｄら
米国特許第５，１０２，４１２号、Ｒｏｇｏｚｉｎｓｋｉら
米国特許第５，１２９，９００号、Ａｓｈｅｒら
米国特許第５，１３３，７１６号、Ｐｌａｚａら
米国特許第５，１４７，３５９号、Ｃｏｚａｄら
米国特許第５，１４７，３６０号、Ｄｅｂｏｕｓｓｅｔら
米国特許第５，１５４，７１８号、Ｃｏｚａｄら
米国特許第５，２７５，６００号、Ａｌｌａｒｄら
米国特許第５，３１２，４０５号、Ｋｏｒｏｔｋｏら
米国特許第５，３３０，４７３号、Ｈｏｗｌａｎｄら
米国特許第５，３３４，２０３号、Ｗａｇｎｅｒら
米国特許第５，３６８，５９４号、Ｍａｒｔｉｎら
米国特許第５，４０３，３１６号、Ａｓｈｍａｎら
米国特許第５，４３９，４６３号、Ｌｉｎら
米国特許第５，５２２，８１６号、Ｄｉｎｅｌｌｏら
米国特許第５，６０１，５５２号、Ｃｏｔｒｅｌら
米国特許第５，６２４，４４２号、Ｍｅｌｌｉｎｇｅｒら
米国特許第５，６３０，８１６号、Ｋａｍｂｉｎら
米国特許第６，１１３，６００号、Ｄｒｕｍｍｏｎｄら
【産業上の利用可能性】
【００５９】
整形外科デバイスに関し、脊椎の固定および脊椎湾曲の補正の目的で脊椎ロッドとともに使用される外科器具が提供される。
【００６０】
（要約）
本発明によれば、内部にロッドを受けるための受けロッド、ロッド座の一部を形成するロッド係合座を有する、係合機構を備える、横断接続器が提供され、この係合機構は、ロッド座内に受けられるロッドと係合および脱係合するように、可動である。好ましい実施形態においては、ロッド係合座を、ロッド座内に受けられたロッドと係合および脱係合させるよう移動させるための、作動手段をさらに備える。さらなる実施形態においては、作動手段が、本体部に螺合により係合する止めねじを備える。
【図面の簡単な説明】
【００６１】
【図１Ａ】図１Ａは、本発明に従って作製されたロッド間結合器の、部分的に断面の側面図である。
【図１Ｂ】図１Ｂは、本発明に従って作製されたロッド間結合器の、部分的に断面の側面図である。
【図１Ｃ】図１Ｃは、本発明に従って作製されたロッド間結合器の、部分的に断面の側面図である。
【図２】図２は、本発明に従って作製されたロッド間結合器の、側断面図である。
【図３】図３は、本発明に従って作製されたロッド間結合器の、第二の実施形態の、部分的に断面の側面図である。
【図４】図４は、本発明に従って作製されたロッド間結合器の、側断面図である。
【図５】図５は、本発明のロッド間結合器の別の実施形態の、部分的に断面の側面図である。
【図６】図６は、本発明のロッド間結合器の実施形態の、側断面図である。
【図７】図７は、本発明による止めねじの側面図である。
【図１Ａ】
2006198417.tif 000003
【図１Ｂ】
2006198417.tif 000004
【図１Ｃ】
2006198417.tif 000005
【図２】
2006198417.tif 000006
【図３】
2006198417.tif 000007
【図４】
2006198417.tif 000008
【図５】
2006198417.tif 000009
【図６】
2006198417.tif 000010
【図７】
2006198417.tif 000011